(57)【要約】      （修正有）【課題】スポークが締められた際の張力を、対称リムであるか非対称リムであるかに関わらず、リムに最適に分散させることにより、リムを薄肉化して所望の軽量化を達成する。【解決手段】自転車用のリム１０は、自転車用のタイヤと接続するように構成された径方向外側部分１２と、各スポーク用の複数の取付孔１６を有する径方向内側部分１４とを備える。径方向内側部分１４は、両側の側壁１４ａ，１４ｂ、および複数の孔１６が形成された底壁１４ｃを含む。径方向内側部分１４は、少なくとも１つの側壁１４ａ，１４ｂを底壁１４ｃから区切る第１の曲率不連続部１４ｄ，１４ｅを有している。底壁１４ｃは、少なくとも一部の孔１６において、スポークのヘッドを保持する、各孔付きインサート１８を収容するように構成されている。【選択図】図２
2014159270.tif 000002
【特許請求の範囲】
【請求項１】
自転車用のタイヤ（１００）と接続するように構成された径方向外側部分（１２）と、
各スポーク（１７）用の複数の取付孔（１６）を有する径方向内側部分（１４）と、
を備え、
前記径方向内側部分（１４）が、両側の側壁（１４ａ，１４ｂ）、および前記複数の孔（１６）が形成された底壁（１４ｃ）を含む、自転車用のリム（１０）であって、
前記径方向内側部分（１４）が、少なくとも前記側壁（１４ａ，１４ｂ）のうちの１つを前記底壁（１４ｃ）から区切る第１の曲率不連続部（１４ｄ，１４ｅ）を有しており、
前記底壁（１４ｃ）が、少なくとも一部の前記孔（１６）において、前記スポーク（１７）のヘッドを保持する、各孔付きインサート（１８）を収容するように構成されていることを特徴とする、自転車用のリム（１０）。
【請求項２】
請求項１に記載の自転車用のリム（１０）において、前記底壁（１４ｃ）が、所定のプロファイルを有しており、前記孔付きインサート（１８）のそれぞれが、前記底壁（１４ｃ）と連結する連結壁（１８ａ）を有しており、この連結壁（１８ａ）が、前記所定のプロファイルと実質的に合致するプロファイルを有している、自転車用のリム（１０）。
【請求項３】
請求項１に記載の自転車用のリム（１０）において、前記底壁（１４ｃ）が、所定の第１の曲げ半径を有する略円弧形状のプロファイルを有しており、前記孔付きインサート（１８）のそれぞれが、前記底壁（１４ｃ）と連結する連結壁（１８ａ）を有しており、この連結壁（１８ａ）が、前記第１の曲げ半径と略同一の曲げ半径を有する略円弧形状のプロファイルを有している、自転車用のリム（１０）。
【請求項４】
請求項１から３のいずれか一項に記載の自転車用のリム（１０）において、前記径方向内側部分（１４）が、当該リム（１０）の正中矢状面（Ｘ−Ｘ）を基準として対称である、自転車用のリム（１０）。
【請求項５】
請求項１から３のいずれか一項に記載の自転車用のリム（１０）において、前記径方向内側部分（１４）が、当該リム（１０）の正中矢状面（Ｘ−Ｘ）を基準として非対称である、自転車用のリム（１０）。
【請求項６】
請求項１から５のいずれか一項に記載の自転車用のリム（１０）において、さらに、前記両側の側壁（１４ａ，１４ｂ）のうちの他方の側壁を前記底壁（１４ｃ）から区切る第２の曲率不連続部（１４ｄ，１４ｅ）を有している、自転車用のリム（１０）。
【請求項７】
請求項３または請求項３に従属する場合の請求項４から６のいずれか一項に記載の自転車用のリム（１０）において、少なくとも１つの前記側壁（１４ａ，１４ｂ）が、前記第１の曲げ半径よりも大きい所定の第２の曲げ半径を有する略円弧形状のプロファイルを有している、自転車用のリム（１０）。
【請求項８】
請求項５に従属する場合の請求項７に記載の自転車用のリム（１０）において、前記両側の側壁（１４ａ，１４ｂ）のうちの一方の側壁（１４ａ）が、前記所定の第２の曲げ半径を有する略円弧形状のプロファイルを有しており、前記両側の側壁（１４ａ，１４ｂ）のうちの他方の側壁（１４ｂ）が、前記第２の曲げ半径と異なる第３の曲げ半径を有する略円弧形状のプロファイルを有している、自転車用のリム（１０）。
【請求項９】
請求項１から６のいずれか一項に記載の自転車用のリム（１０）において、少なくとも１つの前記側壁（１４ａ，１４ｂ）が、略真直なプロファイルを有している、自転車用のリム（１０）。
【請求項１０】
請求項１から９のいずれか一項に記載の自転車用のリム（１０）において、前記第１の曲率不連続部（１４ｄ，１４ｅ）が、前記径方向内側部分（１４）の軸方向内側面（１４ｆ）および軸方向外側面（１４ｇ）の両側に形成されている、自転車用のリム（１０）。
【請求項１１】
請求項１から１０のいずれか一項に記載のリム（１０）を備える自転車用の車輪（１１）。
【発明の詳細な説明】
【技術分野】
【０００１】
本発明は、自転車用のリムに関する。
【０００２】
本発明は、さらに、そのようなリムを備える自転車用の車輪に関する。
【背景技術】
【０００３】
周知のとおり、自転車の車輪用のリムは、タイヤと接続するように構成された（configured to be coupled）径方向外側部分と、各スポーク用の複数の取付孔を有する径方向内側部分とを備える。
【０００４】
典型的に、径方向内側部分は、両側の側壁、および前述の孔が形成された底壁を含む。
【０００５】
「対称リム」と「非対称リム」が知られている。「対称リム」は、その径方向内側部分が、リムの正中矢状面を基準として対称な径方向断面を有するリムであり、「非対称リム」は、その径方向内側部分が、リムの正中矢状面を基準として非対称な径方向断面を有するリムである。
【０００６】
本明細書及び添付の特許請求の範囲において「正中矢状面」という表現は、リムに装着されるタイヤの中間を通過して、リムの回転軸心と直交する平面のことを指す。つまり、正中矢状面は、リムに装着されるタイヤの対称面と一致する。
【０００７】
典型的に、スポークは、前述の孔で車輪に接続され、所定のキャンバ角が得られるように、前記正中矢状面に対して所定の傾斜角で向けられる。
【０００８】
対称リムは自転車の前輪に使用されることが多く、非対称リムは後輪に使用されることが多い。事実、リムの径方向内側部分の形状が非対称であると、キャンバ角を大きくし易い。特に、後輪では、ハブの片側にスプロケットアセンブリを設けるので、キャンバ角を大きくする必要がある。しかし、非対称リムは、前輪に使用される場合もあり、具体的には、ディスクブレーキを用いる前輪の場合に使用される。
【０００９】
自転車、特に競走用自転車の分野では、軽量であると同時に高強度で信頼性も高いリムの製造が、特に所望されている。
【００１０】
そのため、リムの径方向内側部分の壁厚を、リムの所望の強度特性及び信頼性が損なわれない範囲で十分に薄くしようとする傾向がある。
【００１１】
出願人は、スポークが締められると、スポークのヘッドが、リム側の各孔周辺の接触領域に大きな応力をもたらすことに気付いた。この応力により、孔周辺に張力が大きく集中する。そのため、少なくとも底壁では、壁厚は、所定の厚さにする必要がある。
【００１２】
本願と同じ出願人による特許文献１には、対称リムに、スポークのヘッドを保持する孔付きインサートを設ける構成が開示されている。各スポークは、リムの底壁に形成された各孔を介して、そのインサートに挿通される。つまり、そのインサートは、前述の孔の部分で、スポークのヘッドと底壁との間に配置される。
【００１３】
特許文献１に記載されたインサートは、スポークが締められた際に発生する応力を、インサートを設けない場合に比べて底壁の孔周辺のより広い範囲の接触領域に分散させることができる。これにより、有利なことに、インサートを使用しない場合に比べて、底壁の壁厚をより薄くすることができる。
【００１４】
しかし、出願人は、底壁とインサートとの接触には、改善の余地があることに気付いた。この接触を改善することにより、スポークが締められた際に発生する応力を、より良好にリムに分散させることができる。これにより、底壁の壁厚をさらに薄くできるので、リムのさらなる軽量化を達成することができる。
【先行技術文献】
【特許文献】
【００１５】
【特許文献１】欧州特許出願公開第２４２２９５９号明細書
【発明の概要】
【発明が解決しようとする課題】
【００１６】
出願人は、非対称リムについても、壁厚を薄くすることによるリムの軽量化が望ましいことを見出し、さらに、非対称リムの場合においても、スポークが締められた際の、その取付ヘッドによってリムに生じる応力に特に注意することにより、そうした軽量化の要求に答えることができることを見出した。
【００１７】
したがって、本発明の根底をなす技術的課題は、スポークが締められた際の張力を、（対称リムであるか非対称リムであるかに関わらず）リムに最適に分散させることにより、リムを薄肉化して所望の軽量化を達成することである。
【課題を解決するための手段】
【００１８】
以上を踏まえて、本発明の第１の態様は、自転車用のリムに関する。この自転車用のリムは、自転車用のタイヤと接続するように構成された径方向外側部分と、各スポーク用の複数の取付孔を有する径方向内側部分とを備え、前記径方向内側部分が、両側の側壁、および前記複数の孔が形成された底壁を含み、前記径方向内側部分が、少なくとも前記側壁のうちの１つを前記底壁から区切る第１の曲率不連続部を有しており、前記底壁が、少なくとも一部の前記孔において、前記スポークのヘッドを保持する、各孔付きインサートを収容するように構成されている。
【００１９】
本発明の第２の態様は、上記のリムを備える自転車用の車輪に関する。
【００２０】
本明細書及び添付の特許請求の範囲において「曲率不連続部」という表現は、所与のプロファイル（profile）に沿って、曲率が実質的に急峻に変化する箇所のことを指す。
【００２１】
本明細書及び添付の特許請求の範囲において、スポークのヘッドについて言及する際、それは、スポークの端部が幅拡になって形成されたヘッド、およびスポークの端部に螺合したニップルによって形成されたヘッド（つまり、この場合の端部には、ニップルが螺合するためのねじ部が設けられている）の両方の構成を含む。ニップルの代わりに、既知の方法でスポークの端部と連結することのできる、別の連結部材が使用されてもよい。
【００２２】
有利なことに、本発明のリムには、前述した第１の曲率不連続部が設けられているので、スポークのヘッドを保持する孔付きインサートを底壁に収容でき、側壁のプロファイルや曲率に関わらず、前記底壁と連結する（couple）前記インサートの壁の曲率に応じて、その底壁の曲率を選択することができる。よって、前記第１の曲率不連続部は、側壁の曲率と、底壁の所望される曲率との差が大きくなればなるほど、より際立つ。このような構成により、スポークが締められた際に、そのスポークによってリムの底壁に発生する張力を、最適に分散させることができる。したがって、本発明のリムの強度および信頼性に不利益を生じることなく、底壁の壁厚を薄くして所望の軽量化を達成することができる。
【００２３】
特に、出願人は、スポークが締められると、第１の曲率不連続部が、前記リムの底壁の収縮効果を引き起こすことに気付き、さらに、その効果が、リムの径方向内側部分のプロファイルに関わらず（つまり、対称リムおよび非対称リムのいずれの場合にも）得られることに気付いた。この効果により、孔付きインサートと底壁との相互接触面が増加し、張力をより良好にリムに分散させることができる。
【００２４】
出願人は、さらに、底壁の曲率を、インサートの壁の曲率に応じて選択できる構成により、有利なことに、孔付きインサートと底壁との最適な接触を維持することによって張力をリムに最適に分散させると同時に、所定のキャンバ角が得られるようにスポークを向けることが可能となることに気付いた。
【００２５】
本発明は、上述したいずれの態様においても、後述する少なくとも１つの好適な構成を、単独で又は２つ以上の組合せとして包含する。
【００２６】
好ましくは、前記底壁が、所定のプロファイルを有しており、前記孔付きインサートのそれぞれが、前記底壁と連結する連結壁（coupling wall）を有しており、この連結壁が、前記所定のプロファイルと略合致するプロファイルを有している。
【００２７】
より好ましくは、前記底壁が、所定の第１の曲げ半径を有する略円弧形状のプロファイルを有しており、前記孔付きインサートのそれぞれが、前記底壁と連結する連結壁を有しており、この連結壁が、前記第１の曲げ半径と略同一の曲げ半径を有する略円弧形状のプロファイルを有している。
【００２８】
本明細書及び添付の特許請求の範囲において「略円弧形状のプロファイル」という表現は、円弧形状に実質的に追従した形状を、その大部分の範囲にわたって有するプロファイルのことを指す。
【００２９】
これにより、有利なことに、合わせ面間の形状が合致した形状カップリングが得られる、すなわち、孔付きインサートと底壁との接触が最適になる（その結果、張力がリムに最適に分散される）。さらに、所望のキャンバ角を得るためにスポークに加えられる特定の傾斜角に関わらず、その最適な接触を維持することができる。
【００３０】
本発明のリムの第１の好ましい実施形態において、前記径方向内側部分は、当該リムの正中矢状面を基準として対称である。これにより、対称リムが製造される。
【００３１】
本発明のリムの第２の好ましい実施形態において、前記径方向内側部分は、当該リムの正中矢状面を基準として非対称である。これにより、非対称リムが製造される。
【００３２】
好ましくは、本発明のリムは、さらに、前記両側の側壁のうちの他方の側壁を前記底壁から区切る第２の曲率不連続部を有している。
【００３３】
当然ながら、対称リムの場合、そのような第２の曲率不連続部は、前述の正中矢状面を基準として、前記第１の曲率不連続部と鏡対称になる。
【００３４】
一方、非対称リムの場合、前述の第２の曲率不連続部は、前記第１の曲率不連続部と鏡対称にはならない。すなわち、前記第２の曲率不連続部は、前記第１の曲率不連続部よりも際立つかもしくは前記第１の曲率不連続部よりも際立たなくなりえ、および／または前記第１の曲率不連続部の径方向位置に対して異なる径方向位置に設けられうる。
【００３５】
出願人は、スポークが締められると、第２の曲率不連続部が、当該第２の曲率不連続部の形状や位置に関わらず、前記リムの底壁のより大きな収縮効果を引き起こすことに気付き、さらに、その結果、孔付きインサートと底壁との相互接触面が増加し、張力をリムにより良好に分散できることに気付いた。これは、対称リムおよび非対称リムのいずれの場合にも起こる。
【００３６】
好ましくは、少なくとも１つの前記側壁が、前記第１の曲げ半径よりも大きい所定の第２の曲げ半径を有する略円弧形状のプロファイルを有している。
【００３７】
あるいは、少なくとも１つの前記側壁が、略真直なプロファイルを有している。
【００３８】
したがって、前述の曲率不連続部を設けることにより、側壁のプロファイルに関係なく、底壁のプロファイルを所望に形成することができる。
【００３９】
非対称リムの場合、好ましい一実施形態において、前記両側の側壁のうちの一方の側壁は、前記所定の第２の曲げ半径を有する略円弧形状のプロファイルを有しており、前記両側の側壁のうちの他方の側壁は、前記第２の曲げ半径と異なる第３の曲げ半径を有する略円弧形状のプロファイルを有している。
【００４０】
好ましくは、前記第１の曲率不連続部が、前記リムの前記径方向内側部分の軸方向内側面および軸方向外側面の両側に形成されている。
【００４１】
この場合、有利なことに、前記リムの径方向内側部分の底壁及び側壁の壁厚を略一様に形成できる、特に、底壁の壁厚と側壁の壁厚とを略等しく形成できるので、製造およびコストの面で明らかに有利である。
【００４２】
好ましくは、前記第２の曲率不連続部も、前記リムの前記径方向内側部分の軸方向内側面および軸方向外側面の両側に形成されている。
【００４３】
本発明のさらなる特徴および利点は、添付の図面を参照しながら行う、好ましい実施形態についての以下の詳細な説明から明らかになる。それらの実施形態は、例示に過ぎず、本発明を限定するものではない。
【図面の簡単な説明】
【００４４】
【図１】本発明にかかる自転車用のリムの第１の実施形態を示す概略斜視図である。
【図２】図１のリムの概略拡大断面斜視図である。
【図３】図１のリムの概略拡大径方向断面図である。
【図４】図１のリムの他の概略拡大径方向断面図であり、鎖線はリムの変形前の形態（図３の形態に相当）を表し、実線はスポーク（図示せず）が締められたリムの変形後の形態を表す。
【図５】図４のリムの変形前の形態を示す概略拡大径方向断面図である。
【図６】図４のリムの変形後の形態を示す概略拡大径方向断面図である。
【図７】本発明にかかる自転車用のリムの第２の実施形態を示す概略拡大断面斜視図である。
【図８】図７のリムの概略拡大径方向断面図である。
【図９】本発明にかかる自転車用のリムの第３の実施形態を示す概略径方向断面図である。
【図１０】図９のリムの概略拡大径方向断面図であり、鎖線はリムの変形前の形態を表し、実線はスポーク（図示せず）が締められたリムの変形後の形態を表す。
【図１１】図１のリムを備える本発明にかかる自転車用の車輪の概略斜視図である。
【発明を実施するための形態】
【００４５】
図１〜図６に、本発明にかかる自転車用のリムの第１の実施形態を示す。このリム全体に、符号１０を付す。
【００４６】
リム１０は、車輪１１（図１１）の一部である。リム１０は、タイヤ１００と接続するように構成された（configured to be coupled）径方向外側部分１２と、各スポーク１７（図１１では、一部のスポークに対してのみ符号１７を付している）用の複数の取付孔１６（図面では、一部の孔に対してのみ符号１６を付している）を有する径方向内側部分１４とを備える。これらのスポーク１７は、リム１０に取り付けられる側と反対側の端部でハブ１９（図１１）に接続される。この場合、好ましくは、タイヤ１００には空気室が設けられている。
【００４７】
好ましくは、リム１０は、少なくとも一部が、高分子材料に構造繊維を組み込んだ複合材料で構成されるか、あるいは、少なくとも一部が、軽合金（例えば、アルミニウム、アルミニウム系合金など）で構成されてもよい。しかし、本実施形態では、リム１０は、金属材料で構成され、好ましくは軽合金（例えば、アルミニウム、アルミニウム系合金など）で構成される。
【００４８】
径方向外側部分１２は、隔壁１３により、径方向内側部分１４から隔てられている。隔壁１３は、径方向外側部分１２において、タイヤ１００のビード用の支持壁を形成している。
【００４９】
径方向外側部分１２は、その径方向断面が、リム１０の正中矢状面Ｘ−Ｘを基準として実質的に対称である。
【００５０】
一方、図２〜図４から明らかなように、リム１０の径方向内側部分１４は、正中矢状面Ｘ−Ｘを基準として非対称である。したがって、このリム１０は非対称リムである。
【００５１】
径方向内側部分１４は、互いに向かい合う両側の側壁１４ａ，１４ｂ、および前述の孔１６が形成された底壁１４ｃを含む。これらの壁１４ａ，１４ｂは、隔壁１３と共に、リム１０の径方向内側部分１４内に単一の閉じた空間１４０（図４）を形成している。
【００５２】
径方向外側部分１２は、底壁１４ｃにおける前述の孔１６に、複数の孔１２ａを各々、スポーク１７を挿入するために有している（図２）。見易くするために、図１には孔１２ａを示していない。
【００５３】
図２〜図６から明らかなように、径方向内側部分１４は、側壁１４ａ，１４ｂのそれぞれに、その側壁１４ａ，１４ｂを底壁１４ｃから区切る曲率不連続部１４ｄ，１４ｅを各々有している。したがって、底壁１４ｃは、その径方向外側の位置で、前述の曲率不連続部１４ｄ，１４ｅによって境界が定められている。
【００５４】
曲率不連続部１４ｄ，１４ｅは、リム１０の径方向内側部分１４の軸方向内側面１４ｆおよび軸方向外側面１４ｇの両側に形成されている。
【００５５】
曲率不連続部１４ｄと、曲率不連続部１４ｅとは、正中矢状面Ｘ−Ｘを基準として鏡対称の位置にある。
【００５６】
好ましくは、底壁１４ｃは、所定の曲げ半径（図示せず）を有する略円弧形状のプロファイル（profile）を有している。一変形例として、底壁１４ｃは、略楕円形状のプロファイルを有していてもよい。
【００５７】
底壁１４ｃは、少なくとも一部の前述の孔１６において、スポーク１７のヘッドを保持する、対応する孔付きインサート１８を収容する。つまり、底壁１４ｃは、孔付きインサート１８を収容する座部を形成している。
【００５８】
好ましくは、孔付きインサート１８は、高分子材料に構造繊維を組み込んだ複合材料で構成される。他の実施形態において、孔付きインサート１８は、金属材料で構成され、好ましくは軽合金（例えば、アルミニウム、アルミニウム系合金など）で構成される。
【００５９】
孔付きインサート１８のそれぞれが、底壁１４ｃと連結する（coupling）連結壁（coupling wall）１８ａ（図５）を有している。
【００６０】
この連結壁１８ａは、底壁１４ｃのプロファイルと合致するプロファイルを有している。
【００６１】
図２〜図６に示す好適例（ただし、本発明を限定しない）では、前述の連結壁１８ａが、底壁１４ｃと実質的に合致するプロファイルを有しており、例えば、略円弧形状を有する底壁１４ｃの曲げ半径と略同一の曲げ半径（図示せず）を有する略円弧形状のプロファイルを有している。図５では、スポークを締める前とスポークを締めた後での孔付きインサート１８と底壁１４ｃとの異なる相対位置関係（後で詳述する）を分かり易く示すために、孔付きインサート１８の連結壁１８ａと底壁１４ｃとの間の隙間を、故意に過剰に描いている。
【００６２】
孔付きインサート１８は、特許文献１に記載したものと同じ種類であってもよい。リム１０が複合材料で構成されたものである場合、このリム１０と孔付きインサート１８とを一体成型してもよい。
【００６３】
側壁１４ａ（図２〜図４の左側の側壁）は、底壁１４ｃの曲げ半径よりも大きい所定の曲げ半径（図示せず）を有する略円弧形状のプロファイルを有している。
【００６４】
側壁１４ｂ（図２〜図４の右側の側壁）も、底壁１４ｃの曲げ半径よりも大きい所定の曲げ半径（図示せず）を有する略円弧形状のプロファイルを有している。図２〜図４に示す例（ただし、本発明を限定しない）では、側壁１４ｂの曲げ半径が、側壁１４ａの曲げ半径よりも大きく設定されている。
【００６５】
図４〜図６に、スポーク１７を締めることでリム１０に生じる変形、特に、リム１０が複合材料で構成されたものである場合の変形を示す。
【００６６】
既述したように、リム１０は、変形前の形態（図３の形態に相当）が鎖線で概略的に図示されており、スポーク１７が締められ変形した後の形態が実線で概略的に図示されている。同様に、孔付きインサート１８は、リム１０の変形前の形態が鎖線で概略的に図示されており、リム１０の変形後の形態が実線で概略的に図示されている。
【００６７】
図５は、リム１０の変形前の形態における、底壁１４ｃおよび孔付きインサート１８の拡大図である。図６は、リム１０の変形後の形態における、底壁１４ｃおよび孔付きインサート１８の拡大図である。
【００６８】
図５と図６とを比較すると分かるように、リム１０の変形後の形態では、底壁１４ｃと孔付きインサート１８の連結壁１８ａとの接触面が、リム１０の変形前の形態よりも増加している。これは、曲率不連続部１４ｄ，１４ｅを設けたことにより、スポーク１７を締める過程でもたらされるリム１０の底壁１４ｃの収縮効果の結果である。当然ながら、この有利な収縮効果（およびこの収縮効果によって生じる、底壁１４ｃと孔付きインサート１８の連結壁１８ａとの接触面の有利な増加）は、前述の曲率不連続部１４ｄ，１４ｅの一方のみを設けた場合にも得られる。
【００６９】
図７及び図８に、本発明にかかる自転車用のリム１０の第２の実施形態を示す。
【００７０】
図７及び図８では、機能面からみて、図１〜図６を参照しながら既に説明したリム１０の構成要素と同一な又は等価的な構成要素には、図１〜図６と同じ符号を付しており、以下ではその説明を省く。
【００７１】
図７及び図８のリム１０も、非対称リムである。しかしながら、図７及び図８のリム１０は、その径方向外側部分１２が、図２〜図６のリム１０の径方向外側部分１２と実質的に異なる。
【００７２】
より具体的に述べると、図７及び図８のリムの径方向外側部分１２は、その径方向断面が、リム１０の正中矢状面Ｘ−Ｘを基準として実質的に対称であるが、図２〜図６のリム１０の径方向外側部分１２とは違って、タイヤ１００を留める両側の環状のウィング１２ｂを具備している。この場合のタイヤ１００には、空気室を有するものもあれば、空気室を有さないものもある。
【００７３】
一方、径方向内側部分１４は、図２〜図６のリム１０の径方向内側部分１４と実質的に同じである。
【００７４】
図９及び図１０に、本発明にかかる自転車用のリム１０の第３の実施形態を示す。
【００７５】
図９及び図１０では、機能面からみて、図１〜図６を参照しながら既に説明したリム１０の構成要素と同一な又は等価的な構成要素には、図１〜図６と同じ符号を付しており、以下ではその説明を省く。
【００７６】
具体的に述べると、図９及び図１０のリム１０は、対称リムである点が、図２〜図６のリム１０と実質的に異なる。
【００７７】
具体的に述べると、径方向内側部分１４は、正中矢状面Ｘ−Ｘを基準として対称である。
【００７８】
より具体的に述べると、径方向内側部分１４の両側の側壁１４ａ，１４ｂが、正中矢状面Ｘ−Ｘを基準として対称であり、さらに、底壁１４ｃの曲げ半径よりも大きい曲げ半径（図示せず）を有する略円弧形状のプロファイルを有している。
【００７９】
図１０に、スポーク１７を締めることでリム１０の径方向内側部分１４に生じる変形、特に、リム１０が複合材料で構成されたものである場合の変形を示す。
【００８０】
この場合においても、リム１０は、変形前の形態（図９の形態に相当）が鎖線で概略的に図示されており、スポーク１７が締められた変形後の形態が実線で概略的に図示されている。同様に、孔付きインサート１８が、リム１０の変形前の形態が鎖線で概略的に図示されており、リム１０の変形後の形態が実線で概略的に図示されている。この場合でも、明らかに、有利な収縮効果が得られ、その結果、底壁１４ｃと孔付きインサート１８の連結壁１８ａとの接触面の有利な増加をもたらすことができる。
【００８１】
前述の曲率不連続部１４ｄ、１４ｅを設ける構成は、非対称リム１０の場合だけでなく、ロープロファイル（low profile）型の対称リムにおいても、特に有利である。ロープロファイルでは、径方向内側部分１４のいずれの側壁１４ａ，１４ｂは、底壁１４ｃの所望される曲げ半径よりも大きい曲げ半径を有する略円弧形状のプロファイルを有する。
【００８２】
当然ながら、当業者であれば、特定の要件及びその時々の要件に応えるために、既述した自転車用のリム１０および該リム１０を備える自転車用の車輪１１に対して様々な変更や変形を施されうるが、このような変更及び変形の全ては、添付の特許請求の範囲に規定された本発明の保護範囲内に包含されることに留意されたい。
【図１】
2014159270.tif 000003
【図２】
2014159270.tif 000004
【図３】
2014159270.tif 000005
【図４】
2014159270.tif 000006
【図５】
2014159270.tif 000007
【図６】
2014159270.tif 000008
【図７】
2014159270.tif 000009
【図８】
2014159270.tif 000010
【図９】
2014159270.tif 000011
【図１０】
2014159270.tif 000012
【図１１】
2014159270.tif 000013
【外国語明細書】
2014159270000001.pdf
2014159270000002.pdf
2014159270000003.pdf
2014159270000004.pdf